【事件の表示】
　特願２００８−５１６７６５「移動通信システムにおける周期的なポジショニング方法」拒絶査定不服審判事件〔平成１９年　２月１５日国際公開、ＷＯ２００７／０１８４０９、平成２０年１２月２５日国内公表、特表２００８−５４７２６３〕について、次のとおり審決する。
【結　論】
　本件審判の請求は、成り立たない。
【理　由】
第１　手続の経緯
　本願は、平成１８年８月１０日（パリ条約による優先権主張外国庁受理２００５年８月１１日、アメリカ合衆国；２００５年８月１１日、アメリカ合衆国；２００５年９月１４日、アメリカ合衆国；２００５年９月１４日、アメリカ合衆国；２００５年１０月１１日、アメリカ合衆国；２００５年１２月１日、アメリカ合衆国；２００６年１月２６日、アメリカ合衆国；２００６年３月３０日、大韓民国）を国際出願日とする特許出願であって、平成２２年９月３０日付けで拒絶理由通知がなされ、同年１１月２日付けで手続補正がなされたが、平成２３年４月２７日付けで拒絶査定がなされ、これに対し、平成２３年７月１１日に拒絶査定不服審判の請求がなされるとともに手続補正がなされたものである。
　
　
第２　平成２３年７月１１日付けの手続補正についての補正却下の決定
〔結論〕 
　平成２３年７月１１日付けの手続補正を却下する。
　
〔理由〕
１．補正内容
　平成２３年７月１１日付けの手続補正（以下、「本件補正」と呼ぶ。）は、補正前の特許請求の範囲の請求項１５を、補正後の請求項１１に変更する補正事項を含むものである。
　そして、補正前の請求項１５、及び補正後の請求項１１の各記載は、それぞれ、以下のとおりである。
＜補正前の請求項１５＞
「　　【請求項１５】
　移動通信システムにおける周期的なポジショニングを実行する方法であって、
　前記方法は、ＳＬＰ（ＳＵＰＬ　Ｌｏｃａｔｉｏｎ　Ｐｌａｔｆｏｒｍ）によって実行され、
　前記方法は、
　ターゲット端末から、周期的なポジショニングセッションを開始するためにＳＵＰＬ（Ｓｅｃｕｒｅ　Ｕｓｅｒ　Ｐｌａｎｅ　Ｌｏｃａｔｉｏｎ）　ＳＴＡＲＴメッセージを受信することであって、前記ＳＵＰＬ　ＳＴＡＲＴメッセージは、前記周期的なポジショニングセッションの開始時間および周期に関する情報を含む、ことと、
　前記ターゲット端末に、セッションＩＤを含むＳＵＰＬ（Ｓｅｃｕｒｅ　Ｕｓｅｒ　Ｐｌａｎｅ　Ｌｏｃａｔｉｏｎ）　ＲＥＳＰＯＮＳＥメッセージを送信することと、
　前記ターゲット端末から、前記受信されたＳＵＰＬ　ＳＴＡＲＴメッセージに含まれる情報に従って、予め保存されたトリガ情報に基づいて前記ポジショニングの周期において特定のイベントが生成されるときに前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信することと、
　前記ターゲット端末と、前記ポジショニングのポジショニング手順メッセージを交換することと、
　前記交換されたポジショニング手順メッセージに基づいて、前記ターゲット端末の位置を計算することと、
　前記ターゲット端末に、前記ターゲット端末の前記計算された位置を報告することと
　を含み、
　上記ステップの全ては、ユーザプレーンを介してポジショニングを提供するＳＵＰＬ（Ｓｅｃｕｒｅ　Ｕｓｅｒ　Ｐｌａｎｅ　Ｌｏｃａｔｉｏｎ）技術に基づき、
　前記ＳＬＰおよび前記ターゲット端末は、インターネットプロトコル（ＩＰ）をサポートする、方法。」
　
＜補正後の請求項１１＞
「　　【請求項１１】
　移動通信システムにおける周期的なポジショニングを実行する方法であって、
　前記方法は、ＳＬＰ（ＳＵＰＬ　Ｌｏｃａｔｉｏｎ　Ｐｌａｔｆｏｒｍ）によって実行され、
　前記方法は、
　ターゲット端末から、周期的なポジショニングセッションを開始するためにＳＵＰＬ（Ｓｅｃｕｒｅ　Ｕｓｅｒ　Ｐｌａｎｅ　Ｌｏｃａｔｉｏｎ）　ＳＴＡＲＴメッセージを受信することであって、前記ＳＵＰＬ　ＳＴＡＲＴメッセージは、前記周期的なポジショニングセッションの開始時間および周期に関する情報を含む、ことと、
　前記ターゲット端末に、セッションＩＤを含むＳＵＰＬ（Ｓｅｃｕｒｅ　Ｕｓｅｒ　Ｐｌａｎｅ　Ｌｏｃａｔｉｏｎ）　ＲＥＳＰＯＮＳＥメッセージを送信することと、
　前記ターゲット端末から、前記受信されたＳＵＰＬ　ＳＴＡＲＴメッセージに含まれる情報に従って、予め保存されたトリガ情報に基づいて前記ポジショニングの周期において特定のイベントが生成されるときに、受信されたトリガパラメータに基づいて、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信することと、
　前記ターゲット端末と、前記ポジショニングのポジショニング手順メッセージを交換することと、
　前記交換されたポジショニング手順メッセージに基づいて、前記ターゲット端末の位置を計算することと、
　前記ターゲット端末に、前記ターゲット端末の前記計算された位置を報告することと
　を含み、
　上記ステップの全ては、ユーザプレーンを介してポジショニングを提供するＳＵＰＬ（Ｓｅｃｕｒｅ　Ｕｓｅｒ　Ｐｌａｎｅ　Ｌｏｃａｔｉｏｎ）技術に基づき、
　前記ＳＬＰおよび前記ターゲット端末は、インターネットプロトコル（ＩＰ）をサポートする、方法。」
　 
２．本件補正に対する判断  
　本件補正のうちの上記補正事項は、補正前の請求項１５に記載した発明を特定するために必要な事項である、
「前記ターゲット端末から、前記受信されたＳＵＰＬ　ＳＴＡＲＴメッセージに含まれる情報に従って、予め保存されたトリガ情報に基づいて前記ポジショニングの周期において特定のイベントが生成されるときに前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」
を、
「前記ターゲット端末から、前記受信されたＳＵＰＬ　ＳＴＡＲＴメッセージに含まれる情報に従って、予め保存されたトリガ情報に基づいて前記ポジショニングの周期において特定のイベントが生成されるときに、受信されたトリガパラメータに基づいて、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」
に限定するものであって、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の前記請求項１１に記載された発明（以下、「本願補正発明」と呼ぶ。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下検討する。
　
２−１．本願補正発明
　本願補正発明は、上記「１．」の＜補正後の請求項１１＞の欄に転記したとおりのものである。
　なお、上記補正後の請求項１１中の「前記ターゲット端末から、前記受信されたＳＵＰＬ　ＳＴＡＲＴメッセージに含まれる情報に従って、予め保存されたトリガ情報に基づいて前記ポジショニングの周期において特定のイベントが生成されるときに、受信されたトリガパラメータに基づいて、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」という記載は、その文言のみからは、その意味するところが必ずしも明確でないが、上記補正後の請求項１１全体の文脈と、審判請求書の主張等からみて当該記載に対応する技術的事項を説明していると思われる明細書の段落【００８９】の記載等からみて、以下の事項を規定しているものと解されるので、本審決においては、そのような意味に解釈する。
（１）ＳＬＰは、ターゲット端末（ＳＥＴ）から、「ＳＵＰＬ　ＰＯＳ　ＩＮＩＴメッセージ」を受信する。
（２）上記（１）の受信は、「前記受信されたＳＵＰＬ　ＳＴＡＲＴメッセージに含まれる情報」に従って行われる。
（３）上記（１）の受信は、「予め保存されたトリガ情報に基づいて前記ポジショニングの周期において特定のイベントが生成されるとき」に行われるが、そこでいう「予め保存されたトリガ情報に基づいて前記ポジショニングの周期において特定のイベントが生成されるとき」は、「ＳＥＴにおいて、予め保存されたトリガ情報に基づいて特定のイベントが発生するとき」であり、より具体的には「ＳＥＴにおいて、周期的なポジショニングの各周期の到来を検知したとき」である。
（４）上記（１）の受信は、「受信されたトリガパラメータ」に基づいて行われるものでもあるが、該「受信されたトリガパラメータ」は、上記（２）でいう「前記受信されたＳＵＰＬ　ＳＴＡＲＴメッセージに含まれる情報」の一種であり、「周期的なポジショニングセッションの開始時間及び周期に関する情報」を含むものである。
（５）上記（１）の受信は、「前記ポジショニング」すなわち、「周期的なポジショニング」を開始するために行われるものである。
　
２−２．引用例 
　原査定の拒絶の理由に引用された「Ｊｕｎ　Ｗａｎｇ他，ＯＭＡ−ＬＯＣ−２００４−１３６Ｒ０３−ＣＲ＿ＳＵＰＬ＿ＡＤ＿Ｍｅｓｓａｇｅ＿Ｐｅｒｉｏｄｉｃ　Ｃａｌｌ　Ｆｌｏｗｓ，２００４年６月，ＵＲＬ，ｈｔｔｐ：／／ｍｅｍｂｅｒ．ｏｐｅｎｍｏｂｉｌｅａｌｌｉａｎｃｅ．ｏｒｇ／ｆｔｐ／Ｐｕｂｌｉｃ＿ｄｏｃｕｍｅｎｔｓ／ＬＯＣ／２００４／ＯＭＡ−ＬＯＣ−２００４−０１３６Ｒ０３−ＳＵＰＬ＿Ｐｅｒｉｏｄｉｃ＿Ｃａｌｌ＿Ｆｌｏｗｓ．ｚｉｐ」（以下、「引用例」と呼ぶ。）には、以下の事項が記載されている。
　
（１）「6.8.4 SET Initiated SUPL Periodic Call Flow
6.8.4.1 non-roaming periodic
This scenario illustrates the SUPL Agent resident in the Target SET. In this call flow, the SUPL is capable to support the SUPL extended call flow and SET sends a SUPL START with the SUPL Extended Flow element(included in the SET capabilities) set to Extended Flow.」（第５ページ第４行〜末行）
＜当審による訳＞
「６．８．４　ＳＥＴ開始ＳＵＰＬ周期的コールフロー
６．８．４．１　ノンローミング周期的
このシナリオは、ターゲットＳＥＴ内に存在するＳＵＰＬエージェントを例示する。このコールフローでは、ＳＵＰＬがＳＵＰＬ拡張コールフローをサポートするために利用可能であり、ＳＥＴは、ＳＵＰＬ　ＳＴＡＲＴをそのＳＵＰＬ拡張フローエレメント（ＳＥＴ能力に含まれる）セットを用いて“拡張フロー”へ送る。」
　
（２）「A. The SUPL Agent invokes a local API requesting a periodic fix.
　
B. The SUPL Agent on the SET sends a SUPL STAT message to start a positioning session with the SLP to start Positioning Procedure with the SLP. The SUPL STAT message contains at least session-id, SET capabilites, location identifier(lid), start time, stop time, and reporting interval. The SET capabilites include the supported positioning methods(e.g. MS assisted A-GPS, MS based A-GPS) and associated positioning protocols(e.g.RRLP,RRC,IS-801). The SET Capabilities also include the SUPL Extended Flow element, which is set to the Extended Flow.
　
C. The SLP responds with the SUPL RESPONSE to the SET including session-id.
　
D. The SUPL POS INIT message is required to start the SUPL POS flow
　
E. For the SET-Based mode of operation, the SET and the SLP exchage SUPL POS to provide assistant data as needed(i.e., if the assistant data in the SET is stale). In this case, the position will be calculated in the SET once per interval.
　
For the SET-Assistant mode of operation, the SET and SLP exchange SUPL POS once per interval. In this case, the SLP calculates the position based on the received positioning measurements. Please note, for the SET-Assisted mode of operation, this step repeats once per interval.
　
F. Optional: the SUPL REPORT message is required in SET-assisted mode to report the position back to the SET.
　
G. After the specified reporting interval has elapsed, the SET API returns the first position estimate to the SUPL Agent. Please note, for the SET-based mode of operation, this step can be repeated once per interval without Step E. For the SET-Assisted mode of operation, this step repeats once per interval after Step E and F.
　
H. The SUPL POS INIT message is required to start the assistance data SUPL POS call flow.
　
I. After the last reporting interval has elapsed, for the SET-Based mode of operation, the SET and the SLP exchange SUPL POS to provide assistant data if needed(i.e., if the assistance data in the SET is stale).
　
After the last reporting interval has elapsed, for the SET-Assisted mode of operation, the SET and SLP shall exchage SUPL POS. The SLP calculates the posision estimate based on the received positioning measurements.
　
J. Optional: the SUPL REPORT message is required in SET-assisted mode to report the position back to the SET.
　
K. The SET API returns the final position to the SUPL Agent.」（第６ページ第１行〜第７ページ末行）
　
＜当審による訳＞
「Ａ．ＳＥＴのＳＵＰＬエージェントは、周期的位置を要求するＡＰＩを呼び出す。
　
Ｂ．ＳＥＴのＳＵＰＬエージェントは、ＳＬＰとのポジショニング手順を開始するためのＳＬＰとのポジショニングセッションを開始するために、ＳＵＰＬ　ＳＴＡＲＴメッセージを送信する。ＳＵＰＬ　ＳＴＡＲＴメッセージは、少なくとも、セッションＩＤ、ＳＥＴ能力、ロケーション識別子（ｌｉｄ）、開始時間、停止時間、及び報告間隔を含む。ＳＥＴ能力は、サポートされているポジショニング方法（例えばＭＳアシストＡ−ＧＰＳ、ＭＳベースＡーＧＰＳ）と付属するポジショニングプロトコル（例えばＲＲＬＰ、ＲＲＣ，ＩＳ−８０１）を含む。ＳＥＴ能力は、また、ＳＵＰＬ拡張フローエレメントも含む。そしてそれは、拡張フローのためにセットされる。
　
Ｃ．ＳＬＰは、セッションＩＤを含むＳＵＰＬ　ＲＥＳＰＯＮＳＥでＳＥＴに応答する。
　
Ｄ．ＳＵＰＬ　ＰＯＳ　ＩＮＩＴメッセージは、ＳＵＰＬ　ＰＯＳフローを開始するために必要とされる。
　
Ｅ．ＳＥＴベースモードオペレーションの場合、ＳＥＴとＳＬＰは、必要に応じて（すなわち、もしもＳＥＴにおける補助データが古ければ）補助データを提供するために、ＳＵＰＬ　ＰＯＳを交換する。この場合、位置は、間隔毎に１回ＳＥＴで計算される。
　
　ＳＥＴアシスタントモードオペレーションの場合、ＳＥＴとＳＬＰは、ＳＵＰＬ　ＰＯＳを間隔毎に１回交換する。この場合、ＳＬＰが、受信した位置測定値に基づいて位置を計算する。ＳＥＴアシスタントモードオペレーションの場合にはこのステップが間隔毎に１回繰り返すことに留意されたい。
　
Ｆ．オプション：ＳＵＰＬ　ＲＥＰＯＲＴメッセージは、ＳＥＴアシストモードにおいて位置をＳＥＴに戻し知らせために必要とされる。
　
Ｇ．特定された報告間隔が経過した後、ＳＥＴのＡＰＩは最初の位置推定値をＳＵＰＬエージェントへ返す。ＳＥＴベースモードオペレーションの場合、このステップは、ステップＥなしに間隔毎に１回繰り返され得ることに留意されたい。ＳＥＴアシストモードオペレーションの場合、このステップは、間隔毎に１回、ステップＥとＦの後に繰り返される。
　
Ｈ．ＳＵＰＬ　ＰＯＳ　ＩＮＩＴメッセージは、補助データＳＵＰＬ　ＰＯＳコールフローを開始するために必要とされる。
　
Ｉ．最後の報告間隔が経過した後、ＳＥＴベースモードオペレーションの場合、ＳＥＴとＳＬＰは必要に応じて（すなわち、もしもＳＥＴにおける補助データが古ければ）補助データを提供するために、ＳＵＰＬ　ＰＯＳを交換する。
　
最後の報告間隔が経過した後、ＳＥＴアシスタントモードオペレーションの場合、ＳＥＴとＳＬＰは、ＳＵＰＬ　ＰＯＳを間隔毎に１回交換するだろう。ＳＬＰは、受信した位置測定値に基づいて位置推定値を計算する。
　
Ｊ．オプション：ＳＵＰＬ　ＲＥＰＯＲＴメッセージは、ＳＥＴアシストモードにおいて位置をＳＥＴに戻し知らせために必要とされる。
　
Ｋ．ＳＥＴのＡＰＩは最後の位置をＳＵＰＬエージェントへ返す。」
　
　そして、上記記載事項を技術常識と関連図面に照らし、上記記載事項のうちの、特に「for the SET-Assisted mode of operation」（ＳＥＴアシスタントモードオペレーションの場合）に関する記載を参照すると、引用例には以下の発明（以下、「引用例記載発明」と呼ぶ。）が記載されているといえる。
「移動通信システムにおける周期的なポジショニングを実行する方法であって、
　前記方法は、ＳＬＰ（ＳＵＰＬ　Ｌｏｃａｔｉｏｎ　Ｐｌａｔｆｏｒｍ）によって実行され、
　前記方法は、
　ターゲット端末から、周期的なポジショニングセッションを開始するためにＳＵＰＬ（Ｓｅｃｕｒｅ　Ｕｓｅｒ　Ｐｌａｎｅ　Ｌｏｃａｔｉｏｎ）　ＳＴＡＲＴメッセージを受信することであって、前記ＳＵＰＬ　ＳＴＡＲＴメッセージは、前記周期的なポジショニングセッションの開始時間および周期に関する情報を含む、ことと、
　前記ターゲット端末に、セッションＩＤを含むＳＵＰＬ（Ｓｅｃｕｒｅ　Ｕｓｅｒ　Ｐｌａｎｅ　Ｌｏｃａｔｉｏｎ）　ＲＥＳＰＯＮＳＥメッセージを送信することと、
　前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信することと、
　前記ターゲット端末と、前記ポジショニングのポジショニング手順メッセージを交換することと、
　前記交換されたポジショニング手順メッセージに基づいて、前記ターゲット端末の位置を計算することと、
　前記ターゲット端末に、前記ターゲット端末の前記計算された位置を報告することと
　を含み、
　上記ステップの全ては、ユーザプレーンを介してポジショニングを提供するＳＵＰＬ（Ｓｅｃｕｒｅ　Ｕｓｅｒ　Ｐｌａｎｅ　Ｌｏｃａｔｉｏｎ）技術に基づく、方法。」
　
２−３．本願補正発明と引用例記載発明との対比 
　本願補正発明と引用例記載発明とを対比すると、両者の間には以下の一致点、相違点があるといえる。
　
（一致点）
　「移動通信システムにおける周期的なポジショニングを実行する方法であって、
　前記方法は、ＳＬＰ（ＳＵＰＬ　Ｌｏｃａｔｉｏｎ　Ｐｌａｔｆｏｒｍ）によって実行され、
　前記方法は、
　ターゲット端末から、周期的なポジショニングセッションを開始するためにＳＵＰＬ（Ｓｅｃｕｒｅ　Ｕｓｅｒ　Ｐｌａｎｅ　Ｌｏｃａｔｉｏｎ）　ＳＴＡＲＴメッセージを受信することであって、前記ＳＵＰＬ　ＳＴＡＲＴメッセージは、前記周期的なポジショニングセッションの開始時間および周期に関する情報を含む、ことと、
　前記ターゲット端末に、セッションＩＤを含むＳＵＰＬ（Ｓｅｃｕｒｅ　Ｕｓｅｒ　Ｐｌａｎｅ　Ｌｏｃａｔｉｏｎ）　ＲＥＳＰＯＮＳＥメッセージを送信することと、
　前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信することと、
　前記ターゲット端末と、前記ポジショニングのポジショニング手順メッセージを交換することと、
　前記交換されたポジショニング手順メッセージに基づいて、前記ターゲット端末の位置を計算することと、
　前記ターゲット端末に、前記ターゲット端末の前記計算された位置を報告することと
　を含み、
　上記ステップの全ては、ユーザプレーンを介してポジショニングを提供するＳＵＰＬ（Ｓｅｃｕｒｅ　Ｕｓｅｒ　Ｐｌａｎｅ　Ｌｏｃａｔｉｏｎ）技術に基づく、方法。」である点。
　
（相違点１）
　本願補正発明の「前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」は、「前記受信されたＳＵＰＬ　ＳＴＡＲＴメッセージに含まれる情報に従って、予め保存されたトリガ情報に基づいて前記ポジショニングの周期において特定のイベントが生成されるときに、受信されたトリガパラメータに基づいて」行われるのに対し、引用例記載発明の「前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」は、「前記受信されたＳＵＰＬ　ＳＴＡＲＴメッセージに含まれる情報に従って」行われるとは限らず、「予め保存されたトリガ情報に基づいて前記ポジショニングの周期において特定のイベントが生成されるときに」行われるとも限らず、「受信されたトリガパラメータに基づいて」行われるとも限らない点。
　
（相違点２）
　本願補正発明の方法を実行するＳＬＰおよび該方法の実行に用いられるターゲット端末は、インターネットプロトコル（ＩＰ）をサポートするものであるのに対し、引用例記載発明の方法を実行するＳＬＰおよび該方法の実行に用いられるターゲット端末は、インターネットプロトコル（ＩＰ）をサポートするものとは限らない点。
　
２−４．判断 
（１）（相違点１）について
　以下の事情を勘案すると、引用例記載発明の「前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」を、「前記受信されたＳＵＰＬ　ＳＴＡＲＴメッセージに含まれる情報に従って、予め保存されたトリガ情報に基づいて前記ポジショニングの周期において特定のイベントが生成されるときに、受信されたトリガパラメータに基づいて」行われるものとすることは、当業者が容易に推考し得たことというべきである。
ア．引用例記載発明においてＳＬＰがターゲット端末から受信する「ＳＵＰＬ　ＳＴＡＲＴメッセージ」に含まれる情報である「周期的なポジショニングセッションの開始時間および周期に関する情報」（以下、「情報Ａ」と呼ぶ。）は、ポジショニングを開始するために上記ターゲット端末から送信される「ＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージ」の送信タイミングに関する情報であり、その情報Ａが引用例記載発明における「前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」という動作（以下、「動作Ａ」と呼ぶ。）の実現に有用であることは当業者に自明であるし、上記動作Ａを上記情報Ａに従って行うようにすることを妨げる事情はないから、引用例記載発明における上記動作Ａを上記情報Ａに従って行われるものとすることは、当業者が容易に推考し得たことである。
イ．引用例には、第６ページの図面中のＤとＨで示される「ＳＵＰＬ　ＰＯＳ　ＩＮＩＴメッセージ」が具体的にどのようなタイミングで送信されるかについての明示的記載はないが、同図面に示されるTarget SET（引用例記載発明の「ターゲット端末」）は、「ＳＵＰＬ　ＳＴＡＲＴメッセージ」に上記情報Ａを含めてＳＬＰに送信するものであるから、上記情報Ａを当然に保存し得ること、上記「ＳＵＰＬ　ＰＯＳ　ＩＮＩＴメッセージ」は、周期的に実行されるＳＵＰＬ　ＰＯＳフローを開始するためのメッセージであるが、それは、上記図面中のＨで示される「ＳＵＰＬ　ＰＯＳ　ＩＮＩＴメッセージ」がＳＬＰからのメッセージ受信なしに送信されていることからも明らかなように、ターゲット端末（ＳＥＴ）が自発的に（ＳＬＰからの要求を待つことなく）ＳＬＰに送信するものと理解されること、等を考慮すると、上記「ＳＵＰＬ　ＰＯＳ　ＩＮＩＴメッセージ」は、「ＳＥＴにおいて、周期的なポジショニングの各周期の到来を検知したとき」、換言すれば、「予め保存されたトリガ情報に基づいて前記ポジショニングの周期において特定のイベントが生成されるとき」にＳＬＰに向けて送信されるべきものと考えるのが自然であり、引用例記載発明において、そのようにすることは、当業者が容易に推考し得たことである。
ウ．上記２−１．の（４）で触れたように、本願補正発明でいう「受信されたトリガパラメータ」は、上記情報Ａを含むものと解され、引用例記載発明において「上記動作Ａが上記情報Ａに基づいて行われる」ようにすることが当業者にとって容易であれば、「上記動作Ａが『受信されたトリガパラメータ』に基づいて行われる」ようにすることも当業者にとって容易ということになるが、上記ア．で検討したところによれば、「上記動作Ａが上記情報Ａに基づいて行われる」ようにすることは当業者にとって容易というべきであるから、結局「上記動作Ａが『受信されたトリガパラメータ』に基づいて行われる」ようにすることも当業者にとって容易というべきである。
エ．以上のことは、引用例記載発明の「前記ターゲット端末から、前記ポジショニングを開始するためにＳＵＰＬ（Ｓｅｃｕｒｅ　Ｕｓｅｒ　Ｐｌａｎｅ　Ｌｏｃａｔｉｏｎ）　ＰＯＳ　ＩＮＩＴメッセージを受信すること」を、「前記受信されたＳＵＰＬ　ＳＴＡＲＴメッセージに含まれる情報に従って、予め保存されたトリガ情報に基づいて前記ポジショニングの周期において特定のイベントが生成されるときに、受信されたトリガパラメータに基づいて」行われるものとすることが当業者にとって容易であったことを意味している。
　
（２）（相違点２）について
　引用例には、ターゲット端末とＳＬＰの間の通信プロトコルとしてどのようなプロトコルを採用すべきかについての明示的記載はないが、通信プロトコルとしてインターネットプロトコル（ＩＰ）はごく一般的なプロトコルであること、引用例における上記ターゲット端末とＳＬＰの間の通信プロトコルとして該インターネットプロトコル（ＩＰ）を採用できない理由はないこと、等を考慮すると、引用例における上記ターゲット端末とＳＬＰの間の通信プロトコルとしてインターネットプロトコル（ＩＰ）を採用することは、当業者が容易に推考し得たことである。
　そして、このことは、引用例記載発明の方法を実行するＳＬＰおよび該方法の実行に用いられるターゲット端末を、インターネットプロトコル（ＩＰ）をサポートするものとすることが当業者にとって容易であったことを意味している。
　
（３）本願補正発明の効果について  
　本願補正発明の構成によってもたらされる効果は、引用例記載発明及び周知の事項から、当業者ならば容易に予測することができる程度のものであって、格別のものとはいえない。
　 
（４）まとめ  
　以上によれば、本願補正発明は、引用例記載発明及び周知の事項に基いて当業者が容易に発明をすることができたものであり、特許法第２９条第２項の規定により、特許出願の際独立して特許を受けることができないものである。 
　 
３．むすび 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　
第３　本願発明について  
　 
１．本願発明 
　本件補正は上記のとおり却下されたので、本願の請求項１５に係る発明（以下、「本願発明」と呼ぶ。）は、平成２２年１１月２日付けの手続補正書の請求項１５に記載されたとおりのものであり、上記「第２」の「１．」の＜補正前の請求項１５＞の項に転記したとおりのものである。 
　 
２．引用例  
　原査定の拒絶の理由に引用された引用例、及びその記載事項は、上記「第２」の「２．」の「２−２．」の項に記載したとおりである。 
　 
３．対比・判断  
　本願発明は、上記「第２」で検討した本願補正発明から、限定事項の一部を省いたものである。  
　そうすると、本願発明の構成要件をすべて含み、さらに特定の限定を施したものに相当する本願補正発明が、上記「第２」の「２．」の項に記載したとおり、引用例記載発明及び周知の事項に基づいて、当業者が容易に発明をすることができたものであるから、本願発明も同様の理由により、引用例記載発明及び周知の事項に基づいて、当業者が容易に発明をすることができたものである。　  
　  
４．むすび  
　以上のとおり、本願発明は、引用例記載発明及び周知の事項に基づいて、当業者が容易に発明をすることができたものであるから、特許法第２９条第２項の規定により特許を受けることができない。  
　したがって、本願は、他の請求項について検討するまでもなく、拒絶されるべきものである。  
　よって、結論のとおり審決する。